(57)【特許請求の範囲】
【請求項１】
フレームに仕切りパネルを組付けて構成する間仕切りにおいて、前記フレームを構成する相対する縦フレームの内側面に、組付け自在にねじ止めした取付け基盤を上下方向に並設し、該取付け基盤に上下の受止材を弾性変形を利用して嵌着し、該上受止材に上受止片を、また、該下受止材に下受止片をそれぞれ設け、該上下の受止片のそれぞれを、前記内側面に隣接する、前記縦フレームの前後の側面より突出させると共に、前記前後の側面に重ね合わせる仕切りパネルの裏面両側には、前記上受止片が部分的に嵌入する上受入部と、前記下受止片が部分的に嵌入する下受入部をそれぞれ設け、前記上受入部の縁部に、前記上受止片を弾性変形させて前記内側面の横幅内において係止する上係止片を、また、下受入部の縁部に前記下受止片の裏面に前記内側面の横幅内において係止する下係止片をそれぞれ突設した、間仕切りの仕切りパネル組付け装置。
【発明の詳細な説明】
【０００１】
【産業上の利用分野】
本発明は間仕切りの仕切りパネルをフレームに組付ける際に適用する仕切りパネル組付け装置に、関するものである。
【０００２】
【従来の技術】
例えば、実公平７−８６６９号公報所載のように仕切りパネルの背面に係止片（爪）を突設し、該係止片をフレームの前面に形成した受入孔に嵌挿して仕切りパネルをフレームに組付ける構造のものがある。
【０００３】
【発明が解決しようとする課題】
前記従来例は、係止片を受入孔に嵌挿して組付ける構造のものであるため、仕切りパネルとフレームとの間に隙間ができ、この隙間が原因でがたつきが生じる。
【０００４】
本発明は斯様な従来例の欠点に着目し、がたつきが生じることなく従来にない構造の仕切りパネルを提供することを目的として創案したものである。
【０００５】
フレームに仕切りパネルを組付けて構成する間仕切りにおいて、前記フレームを構成する相対する縦フレームの内側面に、組付け自在にねじ止めした取付け基盤を上下方向に並設し、該取付け基盤に上下の受止材を弾性変形を利用して嵌着し、該上受止材に上受止片を、また、該下受止材に下受止片をそれぞれ設け、該上下の受止片のそれぞれを、前記内側面に隣接する、前記縦フレームの前後の側面より突出させると共に、前記前後の側面に重ね合わせる仕切りパネルの裏面両側には、前記上受止片が部分的に嵌入する上受入部と、前記下受止片が部分的に嵌入する下受入部をそれぞれ設け、前記上受入部の縁部に、前記上受止片を弾性変形させて前記内側面の横幅内において係止する上係止片を、また、下受入部の縁部に前記下受止片の裏面に前記内側面の横幅内において係止する下係止片をそれぞれ突設した構成とするのである。
【０００６】
【実施例】
図面は本発明に係る間仕切りの仕切りパネル組付け装置の実施例を示し、図１は正面図、図２は図１ａ−ａ部の一部欠截拡大図、図３は図２の断面図、図４は図１ｂ−ｂ部の一部欠截拡大図、図５は図４の断面図、図６は図１ｃ−ｃ部の拡大図、図７は図６の断面図、図８は図１ｄ−ｄ部の拡大断面図、図９は取付け具の分解正面図、図１０は仕切りパネルの背面図である。
【０００７】
図中、１は間仕切りＡのフレームで、フレーム１は相対する一対の縦フレーム１Ａ，１Ａに笠木１Ｂと巾木１Ｃをわたして互いに螺子３で組付けて構成する。
【０００８】
なお、実施例の間仕切りＡは、複数個のフレーム１，１に仕切りパネル２，…を組付けて構成し、フレーム１，１乃至横方向に隣接する仕切りパネル２，２同士は適宜の連結手段で連結して良い（実施例は単に並べて配置してある）。
【０００９】
図３で示すように、フレーム１を構成する笠木１Ｂの下端部には、前記縦フレ
【００１０】
ーム１Ａの内側面（【請求範囲】の左右の一側面に対応し、外側面でも良い）の横幅方向の中央に位置させた断面円形状の上受止材用保持部４Ａを頸部４´Ａを介して設け、該上受止材用保持部４Ａに取付け具Ｂの一構成材である上受止材５と同形の上受止材５を嵌着してある。
【００１１】
上受止材５は、前記上受止材用保持部４Ａ（乃至取付け基盤６に設けた上受止材用保持部４）の円形状に一致する弯曲状の挾持部７の両側（前記横幅方向の両側又は上受止材５の正面視左右両側）に上受止片８，８を翼状にして連設し、上受止片８を自由端部を受止部８´ａとするやや多角形状の主体部８´の中間部に上方に膨出する圧接部８´´を設けて構成し（図９）、挾持部７の弾性変形を利用して前記上受止材用保持部４Ａに前記の通り嵌着し、主体部８´の中間部および前記圧接部８´´を前記横幅内すなわち縦フレーム１Ａの、前記内側面に隣接する前後の側面より突出させて配置したものである。
【００１２】
この上受止材５は、弾性変形する弯曲状の挾持部７に対して弾性変形する上受止片８を両側にして、かつ、上方において連設してあるので上受止片８全体が挾持部７との連設部を支点にして下方に弾性変形すると（フレーム１に組付けた仕切りパネル１を縦フレームに沿って押下することにより）、挾持部７が前記上受止材用保持部４Ａ（乃至上受止材用保持部４）を挾持（抱持）する方向に弾性変形し、従って、上受止片８に下方への外力が負荷されると、挾持部７は上受止材用保持部４Ａ（乃至上受止材用保持部４）をより尚一層外れにくくなるようになっている。
【００１３】
前記フレーム１を構成する前記巾木１Ｃの前記横幅方向の上部中央部には下受止材保持１０Ａを設けてある（図５）。
【００１４】
下受止材用保持部１０Ａは、上面中央を断面半円状に突出して受座部１１´Ａとした保持部主体１１Ａの前記横幅方向の両側にＬ字形の支持部片１１Ｂ，１１Ｂを左右対称的に受入溝を介して突設して構成し、この下受止材用保持部１０Ａに前記取付け具Ｂの一構成材と同構造の下受止材１３を嵌着してある。
【００１５】
下受止材１３は、前記下受止材用保持部１０Ａ（乃至前記取付け基盤６に設けた下受止材用保持部１０）に設けた受座部１１´Ａ（乃至１１´）に適合する弯曲状の中央部１４´を備えた中央片１４の両側の上側に下受止片１５、下側に挾持片１６を配して互いに連設し、前記中央片１４の前記挾持片１６側の両側に該挾持片１６と同方向にして係合突条１７を突設して配置したものである（図９、図７）。
【００１６】
この下受止材１３は、受座部１１´Ａに中央片１４の中央部１４´を、また、受入溝１２Ａに係合突条１７をそれぞれ一致させて、前記下受止材用保持部１０Ａに挾持片１６の弾性変形を利用して嵌め込み、かつ、挾持片１６の先端の挾持爪１６´を支持部片１１Ｂの下端に係止するようにして前記巾木１Ｃに組付けたもので（図５）、下受止片１５に外力が負荷して縦フレーム１の横幅方向に弾性変形して縦フレーム１より突出しようとしたとき、該下受止片１５には挾持片１６が連設した構成を採るので、挾持片１６は支持部片１１Ｂを挾持する方向に弾性変形しようとして全体として下受止材用保持部１０Ａを尚一層挾持しようとして該保持部１０Ａより外れにくくなるようにしてある。従って、仕切りパネル２のフレーム１に対する着脱操作時における仕切りパネル２の下受止材１３周辺部を中心とする回動操作は円滑に行われ、この操作時に下受止材１３が下受止材用保持部１０Ａから外れることがない。
【００１７】
実施例の間仕切りＡは、フレーム１を構成する笠木１Ｂの上受止材用保持部４Ａに上受止材５を該上受止材１５の弾性変形を利用して係離自在に嵌着して上受止片８を縦フレーム１Ａの内側面の上部両側に配する一方、巾木１Ｃの下受止材用保持部１０Ａに下受止材１３を、該下受止材１３の弾性変形を利用して係離自在に嵌着して下受止材１５を縦フレーム１Ａの内側面の上部両側に配し、これら上受止片８と下受止片１５との間に、上受止片８と下受止片１５を一対一組として複数組になるように縦フレーム１Ａの前記内側面に取付け具Ｂを組付け、相対する縦フレーム１，１の内側面に相対して設けた一対一組の上受止片８と下受止片１５に仕切りパネル２を着脱可能に組付けて得るのである。
【００１８】
前記取付け具Ｂは、前記の通り、取付け基盤６と該取付け基盤６に組付けた前記上下の受止材５，１３とで構成する。
【００１９】
取付け基盤６は上面中央を断面半円状に突出して受座部１１´とした上部側を方形状に幅広くして下受止材用保持部１０と成し、該下受止材用保持部１０の前記受座部１１´の両側に受入溝１２を設け、また、下部に前記上受止材用保持部４を設けて構成し、前記下受止材用保持部１０および上受止材用保持部４に設けた透孔１８を通じて螺子３を縦フレーム１Ａに螺合締付けて縦フレーム１Ａの内側面の適所に着脱可能（前記螺子３の操作により）に並設したものである。
【００２０】
この取付け基盤６の下受止材用保持部１０に、受入溝１２に係合突条１７を係合するようにして、かつ、挾持片１６の挾持爪１６´を保持部１０の下縁に係止するようにして、前記下受止材用保持部１０Ａ（巾木１Ｃに備えた）に対すると同様にして下受止材１３を着脱可能に嵌着し（図７）、また、上受止材用保持部４に笠木１Ｂの上受止材用保持部４Ａに対するのと同様にして上受止材用保持部４に上受止材５を着脱可能に嵌着し（図７）、前記の通り、上受止片８と下受止片１５を一対一組として複数組を縦フレーム１Ａの前記横幅方向（奥行巾方向）両側に並設する。
【００２１】
前記仕切りパネル２は、裏面側両側の上部側に前記上受止片８が部分的に嵌入する上受入部１９を備え該上受入部１９の下縁に前記上受止片８の受止部８´ａが係止する上係止片２０を突設し、また、下部側に下受止片１５が部分的に嵌入する下受入部２１を備え、該下受入部２１の上縁に前記下受止片１５が係止する下係止片２２を突設して構成したもので、この仕切りパネル２を、前記縦フレーム１Ａの一対一組の上受止片８と下受止片１５に合わせ、下受止片１５を下受入部２１に挿入するようにして、下係止片２２を下受止片１５の縦フレーム１Ａの内側面横幅方向内側に配して該下受止片１５に係止させるようにして仕切りパネル２を回動させると、該仕切りパネル２の上部側に設けた上係止片２０は上受止片８の下面側に接触しつつこれを押圧して前記横幅方向内側に移動し、これと同時に上受止片８は主体部８´および圧接部８´´が弾性変形して上受入部１９に嵌合し、上係止片２０は受止部８´ａ（上受止片８）にまた、下係止片２２は下受止片１５にそれぞれ前記縦フレーム１Ａの内側面の横幅内に係止して、仕切りパネル２はフレーム１に組付けられ、間仕切りＡを得る。
【００２２】
斯様にして、実施例の間仕切りＡは、フレーム１の前後両面に都合８枚の仕切りパネル２，…を組付けて構成する。
【００２３】
なお、パネル２をフレーム１より取り外すには、パネル２の上部側を手前方向に下降回動させるようにすると、上係止片２０が上受止片８を強制的に弾性変形させて受止部８´ａより外れ、しかる後、下係止片２２下受止片１５より外すようにすれば良い。
【００２４】
【発明の効果】
本発明は前記の通りの構成であるから、仕切りパネルをフレームに対して組付け自在に組付けられ、組付け状態を確実に維持でき、しかも、仕切りパネルとフレーム間に隙間のない、従って、がたつきのない間仕切りを提供できる。
【００２５】
また、従来にない構造の装置を提供できることは勿論、組立て効率が優れ、搬送上好適である。
【図面の簡単な説明】
【図１】正面図。
【図２】図１ａ−ａ部の一部欠截拡大図。
【図３】図２の断面図。
【図４】図１ｂ−ｂ部の一部欠截拡大図。
【図５】図４の断面図。
【図６】図１ｃ−ｃ部の拡大図。
【図７】図６の断面図。
【図８】図１ｄ−ｄ部の拡大断面図。
【図９】取付け具の分解正面図。
【図１０】仕切りパネルの背面図。
【符号の説明】
１        フレーム
１Ａ      縦フレーム
２        仕切りパネル
８        上受止片
１５      下受止片
１９      上受入部
２０      上係止片
２１      下受入部
２２      下係止片
【図１】
0004118460.tif 000002
【図２】
0004118460.tif 000003
【図３】
0004118460.tif 000004
【図４】
0004118460.tif 000005
【図５】
0004118460.tif 000006
【図６】
0004118460.tif 000007
【図７】
0004118460.tif 000008
【図８】
0004118460.tif 000009
【図９】
0004118460.tif 000010
【図１０】
0004118460.tif 000011